(57)【要約】【課題】液体が床表面材から温調マットまで浸透することをより確実に防止することが可能であり、床表面材をより確実に床面に保持することが可能であり、且つ、床面の温度調節をより均一に行うことが可能な温調床を提供する。【解決手段】温調床は、建物の室の床下地Ｆの上に温調マット１０を設置し、該温調マット１０の上に中間材２０を設置し、該中間材２０の上に床表面材３０を敷設してなる。該中間材２０の上面を覆うように、室内側からの液体の浸透を防止するための不透液性不透液層２１が設けられている。該不透液層２１は非木質系材料よりなる。【選択図】図２
2014080789.tif 000002
【特許請求の範囲】
【請求項１】
建物の室の床下地の上に温調マットを設置し、該温調マットの上に中間材を設置し、該中間材の上に床表面材を敷設してなる温調床において、
該中間材の上面を覆うように、室内側からの液体の浸透を防止するための不透液層が設けられており、
該不透液層は非木質系材料よりなることを特徴とする温調床。
【請求項２】
請求項１において、前記不透液層は金属よりなることを特徴とする温調床。
【請求項３】
請求項２において、前記金属はアルミニウム又はアルミニウム合金であることを特徴とする温調床。
【請求項４】
請求項１ないし３のいずれか１項において、前記中間材は、木質系材料よりなることを特徴とする温調床。
【請求項５】
請求項１ないし４のいずれか１項において、前記温調マットは、室内側から釘又はビスを打ち込み可能な打ち込み可能部を有しており、
前記中間材は、釘又はビスが前記不透液層の上から該不透液層及び中間材を貫通して該打ち込み可能部に打ち込まれることにより、該温調マットに固定されていることを特徴とする温調床。
【請求項６】
請求項１ないし５のいずれか１項において、前記温調マットの上面に沿って複数個の前記中間材が配置されており、各中間材の上面を覆うようにそれぞれ前記不透液層が設けられており、
隣り合う該不透液層同士の間が、不透液性材料よりなる目張り材により目張りされていることを特徴とする温調床。
【請求項７】
請求項６において、前記目張り材は金属箔よりなり、
該目張り材は、隣り合う前記不透液層の上面に跨って貼り付けられていることを特徴とする温調床。
【請求項８】
請求項１ないし７のいずれか１項において、前記床表面材はカーペットであることを特徴とする温調床。
【発明の詳細な説明】
【技術分野】
【０００１】
本発明は、建物の室の床下地の上に、床の暖房や冷房を行うための温調マットを設置し、その上側に床表面材を敷設してなる温調床に係り、特に温調マットと床表面材との間に中間材を介装してなる温調床に関する。
【背景技術】
【０００２】
特許文献１には、温調床の床表面材が硬い材質よりなる場合に、この温調床の上にカーペットを敷くことが記載されている。
【０００３】
特許文献２には、温調マットの上にコルク板を設置し、このコルク板の上にカーペットを敷設してなる温調床が記載されている。
【先行技術文献】
【特許文献】
【０００４】
【特許文献１】特開平１１−１５１１５３
【特許文献２】実公平６−４０７６６
【発明の概要】
【発明が解決しようとする課題】
【０００５】
特許文献１のように、温調床の上にカーペットを敷いた場合、床暖房時に温調床の床表面材とカーペットとの間に熱がこもるため、床表面材に反りやひび割れが発生しやすくなるおそれがある。また、床にこぼれた飲み物やペットの尿などの液体が床表面材同士の継ぎ目や該床表面材自体を通り抜けて温調マットまで浸透し、温調マットの耐久性を低下させるおそれがある。
【０００６】
特許文献２では、温調マットとカーペットとの間に、比較的透液性の低いコルクよりなる中間材が設置されているが、このような木質系材料よりなる中間材の上にカーペットを敷設した場合、カーペットを吸着保持するための粘着性樹脂や吸盤等の吸着手段が中間材に十分に吸着しにくく、カーペットを床面にしっかりと保持するのが難しくなるおそれがある。
【０００７】
また、木質系材料よりなる中間材の上にカーペットを敷設した場合、温調マットからの熱がカーペットに均一に伝わりにくくなるおそれがある。
【０００８】
本発明は、床にこぼれた飲み物やペットの尿などの液体が床表面材から温調マットまで浸透することをより確実に防止することが可能であり、床表面材をより確実に床面に保持することが可能であり、且つ、床面の温度調節をより均一に行うことが可能な温調床を提供することを目的とする。
【課題を解決するための手段】
【０００９】
本発明（請求項１）の温調床は、建物の室の床下地の上に温調マットを設置し、該温調マットの上に中間材を設置し、該中間材の上に床表面材を敷設してなる温調床において、該中間材の上面を覆うように、室内側からの液体の浸透を防止するための不透液層が設けられており、該不透液層は非木質系材料よりなることを特徴とするものである。
【００１０】
請求項２の温調床は、請求項１において、前記不透液層は金属よりなることを特徴とするものである。
【００１１】
請求項３の温調床は、請求項２において、前記金属はアルミニウム又はアルミニウム合金であることを特徴とするものである。
【００１２】
請求項４の温調床は、請求項１ないし３のいずれか１項において、前記中間材は、木質系材料よりなることを特徴とするものである。
【００１３】
請求項５の温調床は、請求項１ないし４のいずれか１項において、前記温調マットは、室内側から釘又はビスを打ち込み可能な打ち込み可能部を有しており、前記中間材は、釘又はビスが前記不透液層の上から該不透液層及び中間材を貫通して該打ち込み可能部に打ち込まれることにより、該温調マットに固定されていることを特徴とするものである。
【００１４】
請求項６の温調床は、請求項１ないし５のいずれか１項において、前記温調マットの上面に沿って複数個の前記中間材が配置されており、各中間材の上面を覆うようにそれぞれ前記不透液層が設けられており、隣り合う該不透液層同士の間が、不透液性材料よりなる目張り材により目張りされていることを特徴とするものである。
【００１５】
請求項７の温調床は、請求項６において、前記目張り材は金属箔よりなり、該目張り材は、隣り合う前記不透液層の上面に跨って貼り付けられていることを特徴とするものである。
【００１６】
請求項８の温調床は、請求項１ないし７のいずれか１項において、前記床表面材はカーペットであることを特徴とするものである。
【発明の効果】
【００１７】
本発明の温調床にあっては、中間材の上面を覆うように、室内側からの液体の浸透を防止するための不透液層が設けられているため、例えば床にこぼれた飲み物やペットの尿などの液体が中間材を通り抜けて温調マットまで浸透することをより確実に防止することができるので、温調マットの耐久性が高いものとなる。
【００１８】
本発明では、この不透液層は非木質系材料よりなる。これにより、例えば特許文献２のように木質系材料よりなる中間材の上に直に床表面材を敷設した場合に比べて、より強固に床表面材を不透液層に吸着させることができるようになるため、床表面材をより確実に床面に保持することが可能となる。
【００１９】
また、一般的に、非木質系材料は木質系材料に比べて熱伝導率が高い傾向があるため、仮に中間材では温調マットからの熱の伝わり方にムラがあっても、不透液層ではその全体に熱が伝わりやすいので、このムラが解消され、床面の温度調節をより均一に行うことが可能である。
【００２０】
なお、本発明において、木質系材料とは、木の無垢材、集成材及び積層材や、木を含む植物の繊維の成形材など、広義の木材又はその代替材をいい、非木質系材料とは、それ以外の材料をいう。この非木質系材料には、例えば金属、合成樹脂（木質系原料由来のものを含む）、ガラス、天然石材、人造石材等が含まれる。
【００２１】
この不透液層は、請求項２の通り、強度及び剛性、不透液性、並びに熱伝導性等から金属が好ましく、特に請求項３の通り、簡便性及び熱伝導性等からアルミニウム又はアルミニウム合金が好ましい。
【００２２】
請求項４の通り、中間材の構成材料としては、簡便性から木質系材料が好適である。
【００２３】
請求項５の通り、温調マットに、室内側から釘又はビスを打ち込み可能な打ち込み可能部を設け、不透液層及び中間材を釘又はビスで温調マットに固定する際には、この打ち込み可能部に釘又はビスを打ち込むことにより、この釘又はビスの打ち込みで温調マットの熱媒循環用の配管やヒーター等の部材が損傷することをより確実に防止することができ、且つ不透液層及び中間材をしっかりと温調マットに固定することができる。
【００２４】
なお、このように釘又はビスで不透液層及び中間材を温調マットに固定することにより、この釘又はビスを外せば容易に中間材を温調マットから分離させることができる。そのため、例えば温調床のメンテナンスに際し、中間材の交換が必要になった場合でも、この釘又はビスを外すことにより中間材を温調マットから分離させて中間材のみを交換することができ、温調マットは再利用することができるので、温調床のメンテナンスコストを比較的安く抑えることが可能となる。
【００２５】
請求項６の通り、隣り合う不透液層同士の間を、不透液性材料よりなる目張り材により目張りすることにより、例えば床にこぼれた飲み物やペットの尿などの液体が中間材を通り抜けて温調マットまで浸透することを一層確実に防止することができる。
【００２６】
請求項７の通り、この目張り材は、耐久性や施工の容易さ、並びに熱伝導性等から、金属箔よりなるものであることが好ましい。この金属箔よりなる目張り材を、隣り合う不透液層の上面に跨って貼り付けることにより、該不透液層同士の間をより確実に目張りすることができる。
【００２７】
本発明によれば、請求項８の通り、例えば床にこぼれた飲み物やペットの尿などの液体が比較的裏側まで浸透しやすいカーペットであっても、床表面材として好適に用いることができる。
【図面の簡単な説明】
【００２８】
【図１】実施の形態に係る温調床の平面図である。
【図２】図１のII−II線に沿う断面図である。
【図３】図１の温調床の分解断面図である。
【図４】図１の温調床に用いられる温調マットの平面図である。
【図５】図４の温調マットの分解断面図である。
【発明を実施するための形態】
【００２９】
以下、図面を参照して実施の形態について説明する。なお、以下の実施の形態は本発明の一例であり、本発明は以下の実施の形態以外の形態をもとりうる。
【００３０】
第１図は、実施の形態に係る温調床の平面図である。第２図は、第１図のII−II線に沿う断面図である。第３図は、この温調床の分解断面図である。なお、第３図は、第２図と同様部分の断面を示している。第４図は、この温調床に用いられる温調マットの平面図である。第５図は、この温調マットの分解断面図である。なお、第５図は、第４図のＶ−Ｖ線に沿う断面を示している。
【００３１】
温調床は、第１〜３図の通り、建物の室の床下地Ｆの上に温調マット１０を設置し、この温調マット１０を覆うように中間材２０を配材し、この中間材２０の上に床表面材３０を敷設してなる。本発明においては、この中間材２０の上面を覆うように不透液層２１が設けられている。この不透液層２１は非木質系材料よりなる。
【００３２】
この実施の形態では、温調床は床暖房を行うためのものである。この実施の形態では、温調マット１０は、ボイラ（図示略）から供給される温水の熱により床表面材３０を加温するものである。この実施の形態では、床表面材３０はカーペットである。
【００３３】
［温調マット１０の構成について］
温調マット１０は、複数枚の略長方形の基板１１と、複数本の小根太１２とが、各々の長手方向を平行方向として交互に配列され、各基板１１の上面に形成された配管配設用の溝１３（第５図）内に温水配管１４が引き回された構成となっている。この温水配管１４に接するように、溝１３の内面から基板１１の上面にかけて均熱板１５が配設されている。基板１１の上面には、温水配管１４を収容した溝１３を塞ぐように均熱シート１６が貼り付けられている。この均熱シート１６は、各基板１１及び各小根太１２の上面に連続して貼り付けられている。
【００３４】
この実施の形態では、各小根太１２が、室内側から釘又はビスを打ち込み可能な打ち込み可能部（請求項５）となっている。なお、一般的に、規格品の温調マット１０は、外周の各辺の長さが実質的に３０３ｍｍ（１尺）の整数倍となっており、この規格品の温調マット１０では、隣り合う小根太１２，１２の幅方向（各小根太１２の長手方向と直交方向且つ温調マット１０の上面と平行方向）の中間部同士の間隔は、実質的に３０３ｍｍとなっている。
【００３５】
この実施の形態では、各小根太１２の長手方向の途中部に、隣り合う基板１１，１１同士を連結する連結スペース（符号略）が形成されており、溝１３は、この連結スペースを通って隣り合う一方の基板１１から他方の基板１１に連続して形成されている。温水配管１４も、この連結スペースに形成された溝１３を通って、隣り合う一方の基板１１の溝１３から他方の基板１１の溝１３に連続して引き回されている。この実施の形態では、第４図の右下部の基板１１（１１Ａ）を除く各基板１１の上面にそれぞれ４条の溝が延設されている。右下部の基板１１Ａには６条の溝１３が延設されている。
【００３６】
即ち、この温調マット１０は、全体として３本の温水配管１４が引き回され、３回路の温水循環配管構成となっている。第４図の右下部の基板１１Ａには３回路分の温水配管１４の往き側と戻り側とが引き回されるので、合計６条（２×３＝６）の溝１３が設けられ、それぞれに各回路の往き側又は戻り側の温水配管１４が収容されている。その他の基板１１には、それぞれ４条の溝１３が設けられ、２回路分の温水配管１４の往き側と戻り側とが引き回されている。
【００３７】
第４図の右下部の基板１１Ａのコーナー部に切欠状部１１ａが設けられ、この切欠状部１１ａ内にヘッダー１７が配置されている。基板１１Ａの各溝１３の末端は、この切欠状部１１ａに臨んでおり、各温水配管１４の両端側は、各溝１３の末端からこの切欠状部１１ａ内に引き出されてヘッダー１７に接続されている。ヘッダー１７には、ボイラから該ヘッダー１７に温水を供給するための往き側主配管（図示略）と、該ヘッダー１７からボイラに温水を戻すための戻り側主配管（図示略）が接続されている。ボイラから往き側主配管を介してヘッダー１７に送られてきた温水は、該ヘッダー１７内で各温水配管１４の往き側に分配され、各温水配管１４内を流れて温調マット１０上を循環する。その後、各温水配管１４の戻り側からヘッダー１７に戻ってきた温水は、該ヘッダー１７内で合流し、該ヘッダー１７から戻り側主配管を介してボイラに返送される。
【００３８】
第２，３，５図の通り、この実施の形態では、各基板１１は、各々の底面に溝１３が露呈する厚さとなっている。各基板１１の上面からの溝１３の深さは、温水配管１４の外径と略等しいものとなっている。即ち、各基板１１の厚さも、温水配管１４の外径と略等しいものとなっている。
【００３９】
通常、この温水配管１４としては、一般に流通している規格品が用いられる。この実施の形態では、温水配管１４として、この規格品の温水配管のうち外径６ｍｍのものを用いている。なお、この規格品の外径６ｍｍの温水配管とは、実質的に外径が６ｍｍであり、±０．２〜０．４ｍｍ程度の寸法誤差を許容するものである。ただし、本発明においては、温水配管１４の外径はこれに限定されるものではなく、これ以外の外径寸法を有する規格品の温水配管を用いてもよい。また、本発明においては、温水配管１４として規格品以外のものを用いてもよい。本発明においては、この温水配管１４の外径は、通常、４〜１０ｍｍ、特に５〜７ｍｍであることが好ましい。
【００４０】
各基板１１の厚さＨ１（第５図）は、通常、１２ｍｍ以下、特に９ｍｍ以下、とりわけ６ｍｍであることが好ましい。とりわけ、各基板１１の厚さＨ１は、通常、温水配管１４の外径＋０〜１０ｍｍ、特に温水配管１４の外径＋０〜５ｍｍであることが好ましい。このように各基板１１の厚さＨ１を小さくすることにより、温調マット１０の全体の厚さも小さくすることができる。これにより、温調床を構築した室の床とそれ以外の室や廊下の床とのレベル差を小さくすることが可能となる。
【００４１】
この実施の形態では、各基板１１の下面に露呈した各溝１３を覆うように裏張りシート１８が設けられている。この裏張りシート１８は、各基板１１の下面に沿って配置され、接着剤等により各基板１１に貼り付けられている。なお、第２，３，５図に示すように、この実施の形態では、該裏張りシート１８は、細長い帯状のものであり、溝１３を１条ずつ覆っているが、隣り合う複数の溝１３を連続して覆うものであってもよく、あるいは各基板１１の下面の略全体を覆うものであってもよい。
【００４２】
なお、既存の床面の上に温調床を構築する場合を考慮して、既存の床面に付着したワックス等が温調マットに浸み込むことを防止するために、温調マットの下面全体を覆うように不織布が取り付けられることがある。その場合、例えば溝１３のうち、内部に均熱板１５が配材されていない部分にのみ裏張りシート１８を設けてもよい。あるいは、裏張りシート１８を全て省略してもよい。
【００４３】
なお、本発明においては、各基板１１は、その下面に溝１３が露呈しない肉厚のものであってもよい。
【００４４】
この実施の形態では、各基板１１同士の間の小根太１２の厚さは、各基板１１と略同等かそれよりも所定厚さまで厚さが小さいもの（例えば基板１１の厚さＨ１−０．１〜０．５ｍｍ程度）となっている。
【００４５】
均熱板１５は、この実施の形態では、第２，３，５図に示すように、溝１３の内面に沿うＵ字部１５ａと、該Ｕ字部１５ａの両端（上端）から各基板１１の上面に沿って側方に延出する１対のフランジ部１５ｂとを有した略Ω字形断面形状のものである。この均熱板１５のＵ字部１５ａが溝１３内に配置され、その上から、温水配管１４がこのＵ字部１５ａ内に嵌め込まれるようにして溝１３に収容されている。
【００４６】
均熱シート１６は、この均熱板１５のフランジ部１５ｂの上から基板１１に貼り付けられている。
【００４７】
この実施の形態では、温調マット１０の面積は、温調床が構築される室の床の全体の面積よりも小さなものとなっている。そのため、第４図の通り、温調マット１０を床下地Ｆの温調マット設置領域の上に設置した後、この温調マット１０の外周と室の床の外周との間を埋めるようにダミー材４０が配材される。この実施の形態では、ダミー材４０の厚さは、温調マット１０の全体の厚さ（≒基板１１の厚さ＋均熱シート１６の厚さ＋裏張りシート１８の厚さ）Ｈ２（第３図）とほぼ等しい（好ましくは小根太１２の厚さと同等）。この実施の形態では、中間材２０は、温調マット１０の上面とダミー材４０の上面との双方を覆うように施工される。
【００４８】
＜温調マット１０の各部材及びダミー材４０の材質等＞
温調マット１０の各部材の材質の一例として次のものが挙げられるが、これらに限定されるものではない。
【００４９】
基板１１の構成材料としては、例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００５０】
小根太１２の構成材料としては、木材や、釘又はビス打ち可能な合成木材又は合成樹脂あるいは合成樹脂発泡体等が好ましい。図示は省略するが、小根太１２の本体の上下両面に補強板を貼り付けた構成であってもよい。
【００５１】
均熱シート１６及び均熱板１５としては、アルミニウム又はアルミニウム合金、あるいは銅等の金属箔が好ましい。
【００５２】
均熱シート１６の表面にポリエチレンテレフタレート等のフィルムをラミネートしてもよい。このようにすることにより、温調マット１０の梱包時や運搬時等に均熱シート１６の破損を防止することができる。なお、このフィルムの材質はポリエチレンテレフタレート以外であってもよい。
【００５３】
温水配管１４としては、可撓性のポリエチレン等の合成樹脂チューブや銅パイプが例示される。
【００５４】
裏張りシート１８は、低熱伝導材よりなることが好ましい。この低熱伝導材としては、不織布や合成樹脂シートあるいは紙等を用いることができる。
【００５５】
前記ダミー材４０は、通常、一般に流通している規格品の合板をカットしたり継ぎ足したりして製作される。なお、ダミー材４０は、規格品の合板以外の材料から構成されてもよい。
【００５６】
［中間材２０及び不透液層２１の構成について］
中間材２０は、温調マット１０の上面に沿って延在する略方形の板状のものである。この実施の形態では、第１図の通り、中間材２０の外周の少なくとも１辺の長さは、室の床の少なくとも１辺の長さよりも小さなものとなっており、複数枚の中間材２０を温調マット１０の上面及びダミー材４０の上面に沿って配材することにより、該温調マット１０の上面及びダミー材４０の上面の全体をこれらの中間材２０で覆っている。隣り合う中間材２０，２０同士は、各々の１辺を互いに突き合せるようにして配列されている。以下、温調マット１０の上面及びダミー材４０の上面の全体を覆ったこれらの中間材２０を総称して中間材２０群ということがある。
【００５７】
各中間材２０は、少なくとも１辺が温調マット１０のいずれかの小根太１２の上に重なるように配置されている。
【００５８】
この中間材２０は、例えば、一般に流通している規格品の合板等の板状材料を、各辺の長さが実質的に３０３ｍｍの整数倍となるようにカットして製作される。その際、温調マット１０上に配置された各中間材２０の少なくとも１辺が温調マット１０のいずれかの小根太１２の上に重なるように、各中間材２０の各辺の長さや配置パターン等が設定される。なお、温調マット１０の上面の全体を覆うのに要する中間材２０の枚数及び配置パターンに特に制限はない。中間材２０は、１枚で温調マット１０の上面の全体を覆う大きさとされてもよい。
【００５９】
中間材２０の構成材料としては、木質系材料が簡便で好適である。この中間材２０を構成する木質系材料としては、中間材２０を釘やビス等の局所的な固定手段で温調マット１０に固定した場合でも、該中間材２０の全体をしっかりと温調マット１０に固定することができる強度及び剛性を有したものであることが好ましい。より具体的には、この中間材２０を構成する木質系材料としては、合板、パーティクルボード及びファイバーボード等が好ましく、特に、その強度及び剛性、並びに施工の容易性から、合板が好適である。なお、不透液層２１及び中間材２０は、釘やビス以外の固定手段により固定されてもよい。
【００６０】
不透液層２１は、第１〜３図の通り、温調マット１０上に配置された中間材２０群の上面の略全体を覆うように設けられている。即ち、温調マット１０は、その上面の全体が、中間材２０群の上からさらに不透液層２１によって覆われたものとなっている。不透液層２１は、中間材２０の上面に結合されていることが好ましいが、結合されていなくてもよい。不透液層２１を中間材２０の上面に結合する場合、この結合手段としては、接着剤や粘着剤が簡便で好適である。なお、結合手段はこれに限定されない。
【００６１】
この実施の形態では、中間材２０と不透液層２１とは、第３図の通り、予め不透液層２１が中間材２０の上面に結合一体化された複合板として製造されたものである。この複合板として製造された段階で、不透液層２１は中間材２０の上面の全体を覆っている。そのため、この複合板を、中間材２０が前述の所定形状となるようにカットすることにより、不透液層２１も中間材２０と一体に同一形状にカットされる。そして、それぞれ所定形状にカットした複合板群を、不透液層２１が上になるようにして、温調マット１０上及びダミー材４０上に前述の所定の配置パターンにて配置することにより、温調マット１０の上面及びダミー材４０の上面の全体が中間材２０群によって覆われ、且つ、中間材２０群の上面の全体が不透液層２１によって覆われたものとなる。
【００６２】
なお、不透液層２１は、中間材２０と別体に板状に成形され、施工現場において中間材２０の上に配材されてもよい。この場合、複数枚の不透液層２１で中間材２０群の上面の全体を覆うようにしてもよく、１枚の不透液層２１で中間材２０群の上面の全体を覆うようにしてもよい。
【００６３】
この不透液層２１を構成する非木質系材料としては、強度及び剛性、不透液性、熱伝導性、並びに床表面材３０の吸着手段の吸着性等から金属が好ましく、特に簡便性及び熱伝導性等からアルミニウム又はアルミニウム合金が好ましい。ただし、この不透液層２１の構成材料は、アルミニウム又はアルミニウム合金以外の金属であってもよく、金属以外の材料であってもよい。例えばこの不透液層２１の構成材料は、不透液性、熱伝導性、並びに床表面材３０の吸着手段の吸着性が十分に確保されれば、合成樹脂等であってもよい。なお、不透液層２１の構成材料は、室内側から温調マット１０まで液体が浸透することを十分に防止することが可能な不透液性を有し、十分な熱伝導性を有し、且つ、床表面材３０の吸着手段が十分に吸着しうる吸着性を有していれば、金属や合成樹脂に限定されない。
【００６４】
不透液層２１を金属製とした場合、中間材２０との接着をより強固にするためや、この金属の腐食や破損を防止するために、不透液層２１の表面に合成樹脂よりなる被覆層を設けてもよい。
【００６５】
中間材２０の厚さＨ３（第３図）は、通常、２〜１２ｍｍ、特に３〜９ｍｍ、とりわけ５〜６ｍｍであることが好ましく、不透液層２１の厚さＨ４（第３図）は、通常、０．０１〜０．１ｍｍ、特に０．０３〜０．０８ｍｍ、とりわけ０．０４〜０．０６ｍｍであることが好ましい。これらの中間材２０と不透液層２１との厚さの合計（Ｈ３＋Ｈ４）は、通常、１２ｍｍ以下、特に９ｍｍ以下、とりわけ６ｍｍ以下であることが好ましい。
【００６６】
このように中間材２０と不透液層２１との厚さの合計（Ｈ３＋Ｈ４）を小さくすることにより、温調マット１０及びダミー材４０の上にこれらの中間材２０及び不透液層２１が配材されてなる温調床の全体の厚さも小さくすることができる。これにより、温調床を構築した室の床とそれ以外の室や廊下の床とのレベル差を小さくすることが可能となる。また、温調マット１０からの熱を効率よく室内に伝達することができる。
【００６７】
この実施の形態では、不透液層２１（この実施の形態では中間材２０と不透液層２１との複合板）群を、温調マット１０及びダミー材４０を覆うように配材した後、第１〜３図の通り、隣り合う不透液層２１，２１同士の間を、不透液性材料よりなる目張り材２２により目張りしている。
【００６８】
この目張り材２２は、耐久性や施工の容易さ及び熱伝導性等から、金属箔よりなるものであることが好ましい。この金属箔としては、例えば特に熱伝導性からアルミニウム又はアルミニウム合金箔、あるいは銅又は銅合金箔等が好適であり、特にアルミニウム又はアルミニウム合金箔が好適である。なお、目張り材２２は金属箔に限定されない。例えば、目張り材２２として合成樹脂テープ等を用いてもよい。
【００６９】
この目張り材２２は、隣り合う不透液層２１，２１同士の継ぎ目を跨いで両不透液層２１，２１の上面に重なるように配置され、接着剤や粘着材等により両不透液層２１，２１の上面に貼り付けられる。このようにすることにより、目張り材２２によって不透液層２１，２１同士の間をより確実に目張りすることができる。
【００７０】
［床表面材３０について］
この実施の形態では、床表面材３０として、いわゆるタイルカーペットを用いている。このタイルカーペットは、外周の各辺の長さが室の床の各辺の長さよりも小さい規格寸法（実質的に３０３ｍｍの整数倍）となっている略方形板状のものであり、第１図の通り、床上に複数枚、規則的に配置することにより、床面全体を覆うものとなる。
【００７１】
床表面材３０としてこのようなタイルカーペットを用いることにより、例えば一部のタイルカーペットに汚れや破損が生じた場合には、その部分のタイルカーペットだけを交換すればよいため、メンテナンスが容易であると共に、経済的である。また、例えば床にこぼれた飲み物やペットの尿などの液体がタイルカーペットの裏側まで浸透し、不透液層２１が汚れた場合でも、その部分のタイルカーペットだけを剥がして不透液層２１にアクセスすることができるため、不透液層２１を効率よく清掃することができる。
【００７２】
なお、床表面材３０は、カーペット（タイルカーペットを含む）以外のものであってもよく、例えば木質系材料からなるフローリング材等であってもよい。
【００７３】
この実施の形態では、床表面材３０の下面に吸着手段（図示略）が設けられており、床表面材３０を不透液層２１の上に重ねて押し付けることにより、床表面材３０が不透液層２１の上面に吸着されるように構成されている。この吸着手段は、不透液層２１に対し着脱可能に吸着するものであることが好ましい。このような吸着手段としては、例えばポリオレフィン系樹脂やゴムに粘着付与樹脂を添加したものや、吸盤等が挙げられる。このような吸着手段を用いることにより、メンテナンス時等に床表面材３０の取り外しや再取り付けを容易に行うことができる。
【００７４】
なお、床表面材３０の不透液層２１への取り付け手段はこれに限定されない。床表面材３０は、接着剤や粘着材等により不透液層２１又はダミー材４０の上面に貼り付けられてもよい。
【００７５】
［温調床の施工方法について］
まず、第１図のように、室の床下地Ｆの温調マット設置領域の上に温調マット１０を設置する。また、ヘッダー１７を基板１１Ａの切欠状部１１ａに配置し、ボイラに連なる往き側主配管及び戻り側主配管、並びに、該切欠状部１１ａに引き出された各温水配管１４の両端側をそれぞれヘッダー１７に接続する。次に、この温調マット１０の周囲に、床下地Ｆの残りの部分を覆うようにダミー材４０を敷設する。なお、ダミー材４０の施工時期はこれに限定されるものではなく、例えば床下地Ｆ上に温調マット設置領域を残して先にダミー材４０を敷設し、後から温調マット１０を設置するようにしてもよい。
【００７６】
次いで、予め所定形状にカットしておいた中間材２０及び不透液層２１の複合板群を温調マット１０及びダミー材４０の上に所定の配置パターンにて配置する。その際、各中間材２０（及び不透液層２１）の少なくとも１辺が温調マット１０の小根太１２の上に重なるようにし、釘又はビス（図示略）を不透液層２１の上から該不透液層２１及び中間材２０を貫通させてこの小根太１２に打ち込み、各中間材２０及び不透液層２１を小根太１２に固定する。中間材２０がダミー材４０に重なった場合には、釘又はビスをダミー材４０に打ち込んで不透液層２１及び中間材２０をダミー材４０に固定してもよい。その後、隣り合う不透液層２１，２１同士の間を目張りするように、これらの不透液層２１，２１の上面に跨って目張り材２２を貼り付ける。
【００７７】
その後、各不透液層２１の上面に連続して、床面全体を覆うように床表面材３０を敷設し、該床表面材３０を各不透液層２１の上面に対し吸着させる。これにより、暖房床の施工が完了する。
【００７８】
このようにして構築された暖房床にあっては、中間材２０の上面を覆うように、室内側からの液体の浸透を防止するための不透液層２１が設けられているため、例えば床にこぼれた飲み物やペットの尿などの液体が中間材２０を通り抜けて温調マット１０まで浸透することをより確実に防止することができるので、温調マット１０の耐久性が高いものとなる。
【００７９】
この不透液層２１は非木質系材料よりなる。これにより、例えば木質系材料よりなる中間材２０の上に直に床表面材３０を敷設した場合に比べて、より強固に床表面材３０を不透液層２１に吸着させることができる。このため、床表面材３０がより確実に床面に保持される。
【００８０】
また、この不透液層２１は、木質系材料に比べて熱伝導率が高い非木質系材料よりなるため、仮に中間材２０では温調マット１０からの熱の伝わり方にムラがあっても、不透液層２１ではその全体に熱が伝わりやすいので、このムラが解消され、床面の温度調節をより均一に行うことが可能である。
【００８１】
この実施の形態では、隣り合う不透液層２１，２１同士の間を、不透液性材料よりなる目張り材２２により目張りしているので、床にこぼれた飲み物やペットの尿などの液体が中間材２０を通り抜けて温調マットまで浸透することを一層確実に防止することができる。
【００８２】
なお、上記の実施の形態は本発明の一例を示すものであり、本発明は図示の構成に限定されない。
【００８３】
上記の実施の形態では、温調マットは、基板上に温水配管が引き回され、この温水配管に温水を流通させて暖房するものとなっているが、温調マットの構成はこれに限定されない。例えば温調マットは、電気ヒーターを備え、この電気ヒーターの熱により暖房するものであってもよい。
【００８４】
上記の実施の形態は、温調マットの配管に温水を流通させて暖房する例を示しているが、例えば配管に冷水等の冷媒を流通させて冷房するようにしてもよい。また、水以外のオイル、不凍液等の熱媒体を流通させてもよい。
【符号の説明】
【００８５】
１０  温調マット
１１  基板
１２  小根太
１３  溝
１４  温水配管
１５  均熱板
１６  均熱シート
１７  ヘッダー
１８  裏張りシート
２０  中間材
２１  不透液層
２２  目張り材
３０  床表面材
４０  ダミー材
【図１】
2014080789.tif 000003
【図２】
2014080789.tif 000004
【図３】
2014080789.tif 000005
【図４】
2014080789.tif 000006
【図５】
2014080789.tif 000007